(57)【要約】【課題】利用者が実際に利用した音楽素材の種類と利用回数をカウントすることによって、利用者による音楽素材の正確な利用状況を把握し、正確な課金を行なうようにした音楽素材提供販売システムおよび方法と音楽素材提供販売プログラムを提供する。【解決手段】利用者１００の端末機器１１０にて、利用者が楽曲の作成を行なう際に、音楽素材提供販売センター２００からネットワーク３００を介してダウンロードした音楽素材６００を、楽曲に組み込むだけでなく、楽曲内で加工したりコピーする等の利用の都度、音楽素材の種類毎に利用回数６０１をカウントし、楽曲を保存したとき、利用回数を含む利用情報６１０を端末機器からネットワーク３００を介して音楽素材提供販売センター２００に送信し、音楽素材提供販売センター２００がこの利用情報６１０に基づいて課金情報２４１を作成してネットワーク５００を介して課金センター４００に送信する。【選択図】      図１
2005004332.tif 000002
【特許請求の範囲】
【請求項１】
利用者の端末機器から第一のネットワークを介して送られてくる指示を音楽素材提供販売センターで受信して、この指示に基づいて音楽素材の検索結果，試聴データそして当該音楽素材自体のデータの送信を行なうと共に、当該利用者が端末機器でそれぞれ利用した音楽素材の種類および利用回数を含む利用情報を受信して、この利用情報に基づいて当該利用者の課金情報を作成して、第二のネットワークを介して課金センターに送信する音楽素材提供販売システムであって、
上記利用者の端末機器が、音楽素材提供販売センターから第一のネットワークを介してダウンロードした音楽素材に基づいて楽曲の作成を行なうシーケンサ部を備えており、
このシーケンサ部が、音楽素材提供販売センターから第一のネットワークを介して送信されてくるデータに基づいて、所望の音楽素材の検索，試聴およびダウンロードを行なうと共に、楽曲作成の際に利用した音楽素材の種類および利用回数を利用者固有の識別ＩＤと共に、利用情報として第一のネットワークを介して音楽素材提供販売センターに送信し、
上記音楽素材提供販売センターが、第一のネットワークを介して利用者の端末機器から送られてくる利用情報に基づいて、識別ＩＤにより当該利用者を特定して、前もって決められた課金法則にしたがって当該利用者の課金情報を作成する、
ことを特徴とする音楽素材提供販売システム。
【請求項２】
上記利用者の端末機器におけるシーケンサ部が、音楽素材の種類毎に利用回数を利用の都度カウントして、音楽素材の種類および利用回数を保存しておくことを特徴とする請求項１に記載の音楽素材提供販売システム。
【請求項３】
上記シーケンサ部が、当該楽曲が作成途中で保存されたとき、そのとき保存されている音楽素材の種類および利用回数の利用情報を、楽曲の保存方法と共に第一の利用情報として第一のネットワークを介して音楽素材提供販売センターに送信することを特徴とする請求項１または２に記載の音楽素材提供販売システム。
【請求項４】
上記シーケンサ部が、当該楽曲が完成後に保存されたとき、そのとき保存されている音楽素材の種類および利用回数の利用情報を、楽曲の保存方法と共に第二の利用情報として第一のネットワークを介して音楽素材提供販売センターに送信することを特徴とする請求項１または２に記載の音楽素材提供販売システム。
【請求項５】
上記音楽素材提供販売センターが、利用者の端末機器から第一の利用情報を受信したとき、音楽素材の素材利用料金として課金情報を作成することを特徴とする請求項４に記載の音楽素材提供販売システム。
【請求項６】
上記音楽素材提供販売センターが、利用者の端末機器から第二の利用情報を受信したとき、音楽素材の著作権利用料金として課金情報を作成することを特徴とする請求項４に記載の音楽素材提供販売システム。
【請求項７】
上記シーケンサ部が、楽曲の作成の中断，終了時またはシーケンサ部または端末機器自体の使用終了時に、音楽素材提供販売センターからダウンロードした音楽素材を消去することを特徴とする請求項１〜６のいずれかに記載の音楽素材提供販売システム。
【請求項８】
第一のネットワークに接続され、上記音楽素材提供販売センターのＷｅｂサービスの検索情報を提供するＵＤＤＩレジストリ部を設けて、
利用者の端末機器が、第一のネットワークを介してＵＤＤＩレジストリ部に接続することにより、音楽素材提供販売センターが提供するＷｅｂサービスの検索を行なって、ＵＤＤＩレジストリ部から音楽素材提供販売センターが提供するＷｅｂサービスの検索結果を受信し、検索されたＷｅｂサービスを利用することにより音楽素材を検索することを特徴とする請求項１〜７のいずれかに記載の音楽素材提供販売システム。
【請求項９】
利用者の端末機器から第一のネットワークを介して送られてくる指示に基づいて、音楽素材提供販売センターにて音楽素材の検索結果，試聴データそして当該音楽素材自体の送信を行なうと共に、利用者の端末機器から送られてくる当該利用者が端末機器で利用した音楽素材の種類および利用回数を含む利用情報に基づいて当該利用者の課金情報を作成して、第二のネットワークを介して課金センターに送信する音楽素材提供販売方法であって、
上記利用者の端末機器にて、音楽素材提供販売センターから第一のネットワークを介して送信されてくるデータに基づいて、所望の音楽素材の検索，試聴およびダウンロードを行なうと共に、
楽曲作成の際に利用した音楽素材の種類および利用回数を利用者固有の識別ＩＤと共に、利用情報として第一のネットワークを介して音楽素材提供販売センターに送信し、
上記音楽素材提供販売センターにて、第一のネットワークを介して利用者の端末機器から送られてくる利用情報に基づいて、識別ＩＤにより当該利用者を特定して、前もって決められた課金法則にしたがって当該利用者の課金情報を作成する、
ことを特徴とする音楽素材提供販売方法。
【請求項１０】
利用者の端末機器から第一のネットワークを介して送られてくる指示に基づいて、音楽素材提供販売センターにて音楽素材の検索結果，試聴データそして当該音楽素材自体の送信を行なうと共に、利用者の端末機器から送られてくる当該利用者が端末機器で利用した音楽素材の種類および利用回数を含む利用情報に基づいて当該利用者の課金情報を作成して、第二のネットワークを介して課金センターに送信する処理をコンピュータに実行させる音楽素材提供販売プログラムであって、
上記利用者の端末機器にて、音楽素材提供販売センターから第一のネットワークを介して送信されてくるデータに基づいて、所望の音楽素材の検索，試聴およびダウンロードを行なうと共に、
楽曲作成の際に利用した音楽素材の種類および利用回数を利用者固有の識別ＩＤと共に、利用情報として第一のネットワークを介して音楽素材提供販売センターに送信し、
上記音楽素材提供販売センターにて、第一のネットワークを介して利用者の端末機器から送られてくる利用情報に基づいて、識別ＩＤにより当該利用者を特定して、前もって決められた課金法則にしたがって当該利用者の課金情報を作成する、
ことを特徴とする音楽素材提供販売プログラム。
【発明の詳細な説明】
【０００１】
【発明の属する技術分野】
本発明は、利用者の端末機器に対してネットワークを介して音楽素材を提供し、利用者が実際に使用した音楽素材に関して課金するようにした音楽素材の提供販売を実現するための技術に関する。
【０００２】
【従来の技術】
従来、音楽制作者が、ある楽曲の一部や特定のパートの演奏や、あるいは特定のフレーズを切り抜いて音楽素材を作成し、これら音楽素材を組み合わせることにより、新たな楽曲を作成するということが、広く行なわれている。
また、このような音楽素材は、例えばオーディオファイルまたはデータファイルの形態で、有料で、ＣＤやＣＤ−ＲＯＭ，ＤＶＤ−ＲＯＭ等の各種記憶媒体に記録した状態で市販されあるいはネットワークを介してダウンロード販売されている。
【０００３】
ところで、このような販売形態においては、個々の音楽素材を個別に販売するのではなく、記憶媒体に膨大な数の音楽素材が記録され、あるいはアーカイブファイルに一括して纒められた状態にて、販売されている。
このため、音楽制作者は、入手した膨大な数の音楽素材の中から、自分で利用したい音楽素材を探し出すのであるが、自分の意図に合うような音楽素材は、僅かであることが多く、場合によっては自分で利用したい音楽素材がないこともある。
【０００４】
この点においては、例えば前もってネットワークを介して試聴できるようにしたダウンロード販売の場合には、ある程度解決できるものの、ダウンロードしたすべての音楽素材を利用することは殆どない。
他方、これらの音楽素材の代金は、記憶媒体に記録した状態で購入し、またはダウンロードすることにより、一括して支払いを行なう必要がある。
このため、音楽制作者は、利用しない音楽素材の分を含めて代金を支払う必要があり、実際には利用しない音楽素材を購入せざるを得ないという問題がある。
【０００５】
これに対して、例えば特許文献１においては、サーバから画像や音楽コンテンツ等の情報を利用者に提供する際に、情報にソフトウェアを埋め込んでおき、利用者が当該情報にアクセスしたときに、当該情報に埋め込まれたソフトウェアを自動実行することにより、利用状況を示すデータをサーバの記憶手段に保存することにより、利用者の情報の利用を正確に把握するようにしている。
【０００６】
【特許文献１】
特開２００１−１７５６０３号
【０００７】
【発明が解決しようとする課題】
しかしながら、上述した特許文献１においては、利用者が画像や音楽コンテンツ等の情報にアクセスしたことをチェックすることにより、利用者の情報の利用を把握するようにしているが、一旦利用者が当該情報を取得した後は、この利用者が当該情報を何回利用しても、例えば楽曲内で加工したりコピーしたり、他の楽曲で再利用した場合、当該情報のいわゆる二次利用を把握することができない。
したがって、利用者が当該情報を実際に利用した利用回数をチェックすることができないので、正しい利用状況を把握することができず、例えば洩れなく利用料金を請求することが困難であった。
【０００８】
本発明は、上記の問題を解決すべくなされたものであり、利用者が実際に利用した音楽素材の種類と利用回数をカウントすることによって、利用者による音楽素材の正確な利用状況を把握し、正確な課金を行なうことができるようにした、音楽素材提供販売システムおよび方法並びに音楽素材提供販売プログラムの提供を目的とする。
【０００９】
【課題を解決するための手段】
この目的を達成するため、本発明の請求項１記載の音楽素材提供販売システムは、利用者の端末機器から第一のネットワークを介して送られてくる指示を音楽素材提供販売センターで受信して、この指示に基づいて音楽素材の検索結果，試聴データそして当該音楽素材自体のデータの送信を行なうと共に、当該利用者が端末機器でそれぞれ利用した音楽素材の種類および利用回数を含む利用情報を受信して、この利用情報に基づいて当該利用者の課金情報を作成して、第二のネットワークを介して課金センターに送信する音楽素材提供販売システムであって、上記利用者の端末機器が、音楽素材提供販売センターから第一のネットワークを介してダウンロードした音楽素材に基づいて楽曲の作成を行なうシーケンサ部と、を備えており、このシーケンサ部が、音楽素材提供販売センターから第一のネットワークを介して送信されてくるデータに基づいて、所望の音楽素材の検索，試聴およびダウンロードを行なうと共に、楽曲作成の際に利用した音楽素材の種類および利用回数を利用者固有の識別ＩＤと共に、利用情報として第一のネットワークを介して音楽素材提供販売センターに送信し、上記音楽素材提供販売センターが、第一のネットワークを介して利用者の端末機器から送られてくる利用情報に基づいて、識別ＩＤにより当該利用者を特定して、前もって決められた課金法則にしたがって当該利用者の課金情報を作成する構成としてある。
【００１０】
音楽素材提供販売システムをこのような構成とすると、利用者の端末機器が、音楽素材提供販売センターにアクセスして、音楽素材提供販売センターに登録されている音楽素材の検索を行なって、検索結果を受信し、この検索結果に基づいて、興味のある音楽素材を指定してサンプルデータを受信することにより、当該音楽素材の試聴を行なうと共に、必要な音楽素材を指定して、当該音楽素材自体のデータを受信する。これにより、利用者は、音楽素材提供販売センターに登録されている音楽素材から、所望の音楽素材を必要に応じてダウンロードすることができる。
【００１１】
そして、利用者が端末機器を操作して、シーケンサ部により楽曲の作成を行なう際に、前述のようにダウンロードした音楽素材を利用し、あるいは楽曲内で加工したりコピーした場合には、シーケンサ部は、当該音楽素材の種類毎に、利用の都度利用回数をカウントして、利用者が端末機器にて楽曲を作成した後、シーケンサ部は、この楽曲の作成の際に利用した音楽素材の種類と利用回数を、利用者固有の識別ＩＤと共に、利用情報として、第一のネットワークを介して音楽素材提供販売センターに送信する。
【００１２】
したがって、音楽素材提供販売センターは、利用者の端末機器から送信されてくる利用情報に基づいて、その識別ＩＤにより当該利用者を特定して、前もって決められた課金法則にしたがって当該利用者の課金情報を作成し、第二のネットワークを介して課金センターに送信する。
これを受けて、課金センターは、音楽素材提供販売センターから第二のネットワークを介して送信されてくる課金情報に基づいて、各利用者毎に課金を行ない、音楽素材提供販売センターが利用者に提供した音楽素材の利用料金を回収する。
【００１３】
このようにして、本発明によれば、利用者の端末機器におけるシーケンサ部が、音楽素材提供販売センターからダウンロードした音楽素材について、楽曲作成の際に、例えば楽曲内での加工，コピー等を含む利用の都度、利用回数をカウントすることにより、利用者の音楽素材の利用を厳密にカウントして、利用回数を音楽素材提供販売センターに送信する。
これにより、音楽素材提供販売センターは、個々の利用者による音楽素材の利用を洩れなく正確にチェックして、課金に反映させることが可能となり、提供する音楽素材の利用に関して、課金センターを介して正確に利用料金を回収することができる。
【００１４】
請求項２記載の音楽素材提供販売システムは、上記利用者の端末機器におけるシーケンサ部が、音楽素材の種類毎に利用回数をカウントして、保存しておく構成としてある。
【００１５】
音楽素材提供販売システムをこのような構成とすると、シーケンサ部が、利用情報を音楽素材提供販売センターに送信する際に、保存してある音楽素材の種類毎の利用回数を読み出して、送信することができる。
【００１６】
請求項３記載の音楽素材提供販売システムは、上記シーケンサ部が、当該楽曲が作成途中で保存されたとき、そのとき保存されている音楽素材の種類および利用回数の利用情報を、楽曲の保存方法と共に第一の利用情報として第一のネットワークを介して音楽素材提供販売センターに送信する構成としてある。
【００１７】
音楽素材提供販売システムをこのような構成とすると、利用者が楽曲作成の途中で当該楽曲を保存した場合には、当該楽曲が未完成であることから、当該楽曲が公開されないものと判断して、シーケンサ部は、当該楽曲で使用されている音楽素材が単に使用されている状態であることから、楽曲の保存方法を楽曲作成途中の保存として、第一の利用情報を音楽素材提供販売センターに送信する。これにより、音楽素材提供販売センターは、第一の利用情報における当該音楽素材に関して「素材利用」されていると判断することができる。
【００１８】
請求項４記載の音楽素材提供販売システムは、上記シーケンサ部が、当該楽曲が完成後に保存されたとき、そのとき保存されている音楽素材の種類および利用回数の利用情報を、楽曲の保存方法と共に第二の利用情報として第一のネットワークを介して音楽素材提供販売センターに送信する構成としてある。
【００１９】
音楽素材提供販売システムをこのような構成とすると、利用者が完成した楽曲を保存した場合には、当該楽曲が完成しており、当該楽曲が公開され、利用者に音楽制作者としての著作権が発生するものと判断して、シーケンサ部は、当該楽曲で使用されている音楽素材が著作権収入を得る可能性を有する状態であることから、楽曲の保存方法を楽曲完成後の保存として、第二の利用情報を音楽素材提供販売センターに送信する。これにより、音楽素材提供販売センターは、第二の利用情報における当該音楽素材に関して「著作権利用」されていると判断することができる。
【００２０】
請求項５記載の音楽素材提供販売システムは、上記音楽素材提供販売センターが、利用者の端末機器から第一の利用情報を受信したとき、音楽素材の素材利用料金として課金情報を作成する構成としてある。
【００２１】
音楽素材提供販売システムをこのような構成とすると、音楽素材提供販売センターは、利用者の端末機器から第一のネットワークを介して送られてくる第一の利用情報に基づいて、当該音楽素材が「素材利用」されていることから、当該音楽素材に関して「素材利用料金」として課金情報を作成する。
【００２２】
請求項６記載の音楽素材提供販売システムは、上記音楽素材提供販売センターが、利用者の端末機器から第二の利用情報を受信したとき、音楽素材の著作権利用料金として課金情報を作成する構成としてある。
【００２３】
音楽素材提供販売システムをこのような構成とすると、音楽素材提供販売センターは、利用者の端末機器から第一のネットワークを介して送られてくる第二の利用情報に基づいて、当該音楽素材が「著作権利用」されていることから、当該音楽素材に関して「著作権利用料金」として課金情報を作成する。
【００２４】
請求項７記載の音楽素材提供販売システムは、上記シーケンサ部が、楽曲の作成の中断，終了時またはシーケンサ部または端末機器自体の使用終了時に、音楽素材提供販売センターからダウンロードした音楽素材を消去する構成としてある。
【００２５】
音楽素材提供販売システムをこのような構成とすると、利用者が楽曲の作成を中断または終了し、あるいはシーケンサ部または端末機器自体の使用が終了したときに、シーケンサ部が、音楽素材提供販売センターからダウンロードした音楽素材を消去することにより、利用者は、一旦音楽素材提供販売センターからダウンロードした音楽素材であっても、他の楽曲の作成に利用することができず、当該音楽素材の不正利用が防止され得ることになる。
【００２６】
請求項８記載の音楽素材提供販売システムは、第一のネットワークに接続され、上記音楽素材提供販売センターのＷｅｂサービスの検索情報を提供するＵＤＤＩレジストリ部を設けて、利用者の端末機器が、第一のネットワークを介してＵＤＤＩレジストリ部に接続することにより、音楽素材提供販売センターが提供するＷｅｂサービスの検索を行なって、ＵＤＤＩレジストリ部から音楽素材提供販売センターが提供するＷｅｂサービスの検索結果を受信し、検索されたＷｅｂサービスを利用することにより音楽素材を検索する構成としてある。
【００２７】
音楽素材提供販売システムをこのような構成とすると、第一のネットワークに複数個の音楽素材提供販売センターが接続され、複数個の音楽素材提供Ｗｅｂサービスが提供されている場合に、所望の音楽素材を検索するために、利用者の端末機器が、個々の音楽素材提供販売センターにアクセスせずに、ＵＤＤＩレジストリ部にアクセスすることにより、所望の音楽素材提供販売センターが提供するＷｅｂサービスを検索する。そして、ＵＤＤＩレジストリ部から第一のネットワークを介して送られてくる検索結果に基づいて、利用者の端末機器が、検索結果にリストアップされた複数の音楽素材提供販売センターのＷｅｂサービスにアクセスすることにより、それらすべての音楽素材提供販売センターが提供するＷｅｂサービスによって提供される当該音楽素材の試聴またはダウンロードを行なうことができる。
したがって、利用者は、端末機器から個々の音楽素材提供販売センターにそれぞれ別個にアクセスして、所望の音楽素材を検索しなくても、端末機器からＵＤＤＩレジストリ部にアクセスすることにより、同時に複数の音楽素材提供販売センターが提供するＷｅｂサービスに登録されている音楽素材を検索し、所望の音楽素材を見つけて、試聴またはダウンロードすることができる。
特定の音楽素材提供販売センターのみに接続される端末機器を使用すると、利用者は、音楽素材提供販売センター毎に専用の端末機器を用意しなければならないが、この場合には、ＵＤＤＩレジストリ部を介して複数の音楽素材提供販売センターに登録されている音楽素材を、あたかも一つの音楽素材提供販売センターに登録されている音楽素材のように検索，試聴そしてダウンロードすることが可能になる。
【００２８】
また、上記目的を達成するため、本発明の請求項９記載の音楽素材提供販売方法は、利用者の端末機器から第一のネットワークを介して送られてくる指示に基づいて、音楽素材提供販売センターにて音楽素材の検索結果，試聴データそして当該音楽素材自体の送信を行なうと共に、利用者の端末機器から送られてくる当該利用者が端末機器で利用した音楽素材の種類および利用回数を含む利用情報に基づいて当該利用者の課金情報を作成して、第二のネットワークを介して課金センターに送信する音楽素材提供販売方法であって、上記利用者の端末機器にて、音楽素材提供販売センターから第一のネットワークを介して送信されてくるデータに基づいて、所望の音楽素材の検索，試聴およびダウンロードを行なうと共に、楽曲作成の際に利用した音楽素材の種類および利用回数を利用者固有の識別ＩＤと共に、利用情報として第一のネットワークを介して音楽素材提供販売センターに送信し、上記音楽素材提供販売センターにて、第一のネットワークを介して利用者の端末機器から送られてくる利用情報に基づいて、識別ＩＤにより当該利用者を特定して、前もって決められた課金法則にしたがって当該利用者の課金情報を作成する方法としてある。
本発明は、このように音楽素材提供販売方法としても実現化することができる。
【００２９】
さらに、上記目的を達成するため、本発明の請求項１０記載の音楽素材提供販売プログラムは、利用者の端末機器から第一のネットワークを介して送られてくる指示に基づいて、音楽素材提供販売センターにて音楽素材の検索結果，試聴データそして当該音楽素材自体の送信を行なうと共に、利用者の端末機器から送られてくる当該利用者が端末機器で利用した音楽素材の種類および利用回数を含む利用情報に基づいて当該利用者の課金情報を作成して、第二のネットワークを介して課金センターに送信する処理をコンピュータに実行させる音楽素材提供販売プログラムであって、上記利用者の端末機器にて、音楽素材提供販売センターから第一のネットワークを介して送信されてくるデータに基づいて、所望の音楽素材の検索，試聴およびダウンロードを行なうと共に、楽曲作成の際に利用した音楽素材の種類および利用回数を利用者固有の識別ＩＤと共に、利用情報として第一のネットワークを介して音楽素材提供販売センターに送信し、上記音楽素材提供販売センターにて、第一のネットワークを介して利用者の端末機器から送られてくる利用情報に基づいて、識別ＩＤにより当該利用者を特定して、前もって決められた課金法則にしたがって当該利用者の課金情報を作成するようにしてある。
本発明は、このように音楽素材提供販売プログラムとしても実現化することがきる。
【００３０】
【発明の実施の形態】
以下、本発明の実施の形態について、図面を参照して説明する。
なお、以下の実施形態における音楽素材提供販売センターの情報管理装置での処理は、プログラムに制御されたコンピュータにより実行される。記録媒体としては、例えば磁気ディスク，半導体メモリ，その他の任意のコンピュータで読み取り可能なものを使用することができる。また、記録媒体に記録されたプログラムは、記録媒体を直接コンピュータに装着して当該コンピュータに読み込ませてもよく、また通信回線を介してコンピュータに読み込ませてもよい。
【００３１】
本発明の音楽素材提供販売システムの第一の実施形態について、図１乃至図２を参照して説明する。
図１は、本実施形態の音楽素材提供販売システムの構成を示すブロック図である。
【００３２】
図１に示すように、音楽素材提供販売システム１０は、利用者１００と、音楽素材提供販売センター２００と、第一のネットワーク３００と、課金センター４００と、第二のネットワーク５００と、を設けてある。
なお、図１においては、利用者１００は、一つだけ図示されているが、一つに限定されるものではない。
【００３３】
ここで、第一のネットワーク３００は、例えばインターネット，携帯電話を含む一般公衆回線網または専用回線網等のネットワークであって、利用者１００の端末機器と音楽素材提供販売センター２００とを相互に接続して、インターネット接続サービスを提供するものである。
また、第二のネットワーク５００は、構内ＬＡＮまたは専用回線網等のネットワークであって、音楽素材提供販売センター２００と課金センター４００とを相互に接続するものであるが、インターネット，一般公衆回線網等のネットワークであってもよい。
【００３４】
利用者１００は、音楽素材提供販売のサービスを受けようとする音楽制作者等であって、第一のネットワーク３００を介して音楽素材提供販売センター２００から音楽素材６００に関する検索結果，試聴のためのサンプルデータを受信し、さらに音楽素材を指定して受信することにより、いわゆる音楽素材自体のデータ（例えばＭＩＤＩデータ等の音楽素材データ）のダウンロードを行なうことができるようになっている。
【００３５】
なお、利用者１００は、第一のネットワーク４００に接続して、音楽素材提供販売センター２００から音楽素材６００に関するデータを受信し、受信した音楽素材６００の利用情報６１０を第一のネットワーク４００を介して音楽素材提供販売センター２００に送信するために端末機器１１０を使用することができる。
【００３６】
この端末機器１１０は、例えばインターネット接続サービスを受けるためのパーソナルコンピュータや携帯電話端末等の携帯端末機器，他の各種情報端末機器や専用端末機器を使用することができ、この端末機器１１０の画面上に表示される画面表示にしたがって、検索指示情報１１１，試聴指示情報１１２およびダウンロード指示情報１１３を送信して、所望の音楽素材６００を検索，試聴そしてダウンロードできるようになっている。
【００３７】
ここで、利用者１００は、前もって利用者情報（氏名，住所，決済口座等）１０１を登録しておくことにより、識別ＩＤ１０２を付与されている。
これにより、端末機器１１０が第一のネットワーク３００を介して音楽素材提供販売センター２００にアクセスする際に、この識別ＩＤ１０２を送信することにより、利用者１００が一意に特定され得る。
なお、この識別ＩＤ１０２は、端末機器１１０自体に割り当てられていてもよい。
さらに、利用者１００は、音楽素材提供販売センター２００を利用するために、前もって課金センター４００に対して利用料金の決済のために利用者登録をしておく必要がある。
【００３８】
また、この端末機器１１０は、それ自体が音楽制作用端末であるシーケンサとして構成され、あるいは音楽制作用のシーケンスソフトのプログラムが動作して、シーケンサとして作用することにより、シーケンサ部１２０を構成するようになっている。
これにより、シーケンサ部１２０は、第一のネットワーク３００を介して音楽素材提供販売センター２００からダウンロードした音楽素材６００に基づいて、自由に楽曲を作成することができると共に、作成中の楽曲を単に保存したり、または完成した楽曲を適宜の保存形式、例えばＳＭＦ（Ｓｔａｎｄａｒｄ  ＭＩＤＩ  Ｆｉｌｅ）形式で保存したり、あるいはマスタリングを行なうことができるようになっている。
【００３９】
さらに、シーケンサ部１２０は、ダウンロードした音楽素材６００の例えばＭＩＤＩデータを利用して楽曲を作成する際に、利用の都度当該音楽素材６００の利用回数６０１をカウントするカウント部１２１を備えており、音楽素材６００の種類毎にカウントした利用回数６０１を、逐次記憶部１２２に登録するようになっている。
この際、シーケンサ部１２０は、ある音楽素材６００が楽曲の作成のために複数回利用されるとき、利用の都度利用回数６０１をカウントすると共に、楽曲内でコピーするときも利用回数６０１をカウントするようになっている。
【００４０】
そして、シーケンサ部１２０は、利用者１００が端末機器１１０を操作することにより、作成中または完成した楽曲に関して保存が行なわれ、あるいはマスタリングが行なわれたとき、記憶部１２２に登録されている当該楽曲における音楽素材６００の種類毎の利用回数６０１を読み出して、識別ＩＤ１０２およびその保存方法６０２（すなわち、単なる保存，ＳＭＦ形式の保存またはマスタリング）と共に、利用情報６１０として、第一のネットワーク３００を介して、音楽素材提供販売センター２００に送信する。
【００４１】
ここで、シーケンサ部１２０は、作成中の楽曲の単なる保存が行なわれたとき、利用回数６０１，識別ＩＤ１０１と保存方法６０２（単なる保存）を、第一の利用情報６１１として送信する。
これに対して、シーケンサ部１２０は、完成した楽曲のＳＭＦ形式の保存またはマスタリングが行なわれたとき、利用回数６０１，識別ＩＤ１０１と保存方法６０２（ＳＭＦ形式の保存またはマスタリング）を、第二の利用情報６１２として送信する。
【００４２】
また、シーケンサ部１２０は、作成中または完成した楽曲に関して保存が行なわれたとき、当該楽曲に関して、音楽素材提供販売センター２００からダウンロードした音楽素材６００に関するデータ、すなわち検索結果情報６２０，サンプルデータ６３０，音楽素材データ６４０をすべて削除するようになっている。
【００４３】
音楽素材提供販売センター２００は、適宜の箇所に設けられた情報管理装置としての任意の台数のサーバから構成されており、例えばＷＷＷサーバ，Ｗｅｂアプリケーションサーバ，データベースサーバ等のミドルウェアと、音楽素材６００の提供を行なうアプリケーションとしてのプログラムがインストールされることによって構成されている。
ここで、音楽素材提供販売センター２００は、入出力部２１０と、記憶部２２０と、処理部２３０と、課金部２４０と、を有している。
【００４４】
上記入出力部２１０は、第一のネットワーク３００および第二のネットワーク５００に接続されている。
そして、上記入出力部２１０は、利用者１００の端末機器１１０から第一のネットワーク３００を介して送信されてくる検索指示情報１１１，試聴指示情報１１２およびダウンロード情報１１３を受信して、処理部２３０に転送すると共に、処理部２３０からの音楽素材６００の検索結果情報６２０，サンプルデータ６３０および音楽素材データ６４０を第一のネットワーク３００を介して、利用者１００の端末機器１１０に送信する。
【００４５】
また、上記入出力部２１０は、利用者１００の端末機器１１０から第一のネットワーク３００を介して送信されてくる識別ＩＤ１０２に基づいて、記憶部２２０から利用者情報１０１を読み出して、第二のネットワーク５００を介して課金センター４００に対して、当該利用者１００の認証を行なう。
さらに、上記入出力部２１０は、課金部２４０からの課金情報２４１を第二のネットワーク５００を介して課金センター４００に送信する。
また、上記入出力部２１０は、利用者１００の端末機器１１０から第一のネットワーク３００を介して送信されてくる利用情報６１０を受信して、課金部２３０に転送する。
【００４６】
上記処理部２３０は、入出力部２１０から転送されてくる検索指示情報１１１に基づいて、記憶部２２０にデータベースとして登録されている音楽素材６００を検索して、検索結果情報６２０を入出力部２１０に転送する。
また、上記処理部２３０は、入出力部２１０から転送されてくる試聴指示情報１１２に基づいて、指定された音楽素材６００のサンプルデータ６３０を読み出して、入出力部２１０に転送する。
さらに、上記処理部２３０は、入出力部２１０から転送されてくるダウンロード指示情報１１３に基づいて、指定された音楽素材データ６４０を読み出して、入出力部２１０に転送する。
【００４７】
上記記憶部２２０は、各種音楽素材６００に関して、サンプルデータ６３０および音楽素材データ６４０が、その検索用キーワードと関連付けて、データベースとして登録されており、検索用キーワードにより音楽素材６００の検索が行なわれ得ると共に、各利用者１００の利用者情報１０１および識別ＩＤ１０２が別のデータベースとして登録されており、識別ＩＤ１０２により、対応する利用者１００の利用者情報１０１を読み出せるように記憶している。
【００４８】
上記課金部２４０は、入出力部２１０から転送されてくる利用情報６１０に基づいて、この利用情報６１０に含まれる音楽素材６００の種類毎の利用回数６０１から、前もって設定されている課金法則にしたがって利用料金の計算を行なうと共に、利用情報６１０に含まれる識別ＩＤ１０２に基づいて記憶部２２０から読み出した利用者情報１０１を付加して、課金情報２４１を作成し、入出力部２１０に転送する。
【００４９】
ここで、課金部２４０は、課金情報２４１を作成する際に、利用情報６１０が第一の利用情報６１１（すなわち、利用情報６１０に含まれる保存方法６０２が単なる保存）である場合には、「素材使用料金」として課金情報２４１を作成し、また利用情報６１０が第二の利用情報６１２（すなわち、利用情報６１０に含まれる保存方法６０２がＳＭＦ形式の保存またはマスタリング）である場合には、当該音楽素材６００を利用した楽曲での著作権収入を得る可能性があると判断して、「著作権使用料金」として課金情報２４１を作成する。
【００５０】
上記課金センター４００は、例えば金融機関，クレジット会社等の決済センターであって、この場合、音楽素材提供販売センター２００にアクセスした利用者１００の認証を行なうと共に、音楽素材提供販売センター２００から第二のネットワーク５００を介して送られてくる課金情報２４１に基づいて、利用者１００の決済口座から利用料金を決済する。
【００５１】
次に、本実施形態の音楽素材提供販売システムによる音楽素材提供販売方法について、図２を参照して説明する。
音楽素材提供販売システムは、図２に示す音楽素材を利用した楽曲制作作業の各ステップで利用される。
【００５２】
図２において、利用者１００は、符号Ａ１で示すように、端末機器１１０により、第一のネットワーク３００を介して音楽素材提供販売センター２００にアクセスし、識別ＩＤ１０２を送信する。
これにより、音楽素材提供販売センター２００の入出力部２１０は、この識別ＩＤ１０２を受信して、記憶部２２０からこの識別ＩＤ１０２に対応する利用者情報１０１を読み出して、符号Ａ２で示すように、第二のネットワーク５００を介して、課金センター４００に送信する。
【００５３】
これを受けて、課金センター４００は、符号Ａ３で示すように、この利用者情報１０１に基づいて利用者１００の認証を行ない、符号Ａ４で示すように、認証結果を第二のネットワーク５００を介して音楽素材提供販売センター２００に送信する。
これにより、音楽素材提供販売センター２００の入出力部２１０は、当該利用者１００の接続を許可して、符号Ａ５で示すように、記憶部２２０に登録されている検索用画面情報を第一のネットワーク３００を介して利用者１００の端末機器１１０に送信する。
【００５４】
ここで、利用者１００は、端末機器１１０の表示部に表示される検索用画面に基づいて、検索指示情報１１１を入力し、符号Ａ６で示すように、検索指示情報１１１を第一のネットワーク３００を介して音楽素材提供販売センター２００に送信する。
これを受けて、音楽素材提供販売センター２００の処理部２３０は、符号Ａ７で示すように、この検索指示情報１１１に基づいて、記憶部２２０に登録されている音楽素材６００のデータベースを検索し、符号Ａ８で示すように、入出力部２１０を介して、検索結果情報６２０を第一のネットワーク３００を介して利用者１００の端末機器１１０に送信する。
【００５５】
これにより、利用者１００は、例えば端末機器１１０の表示部に表示される検索結果情報６２０を参照して、試聴したい音楽素材６００があった場合には、試聴指示情報１１２を入力し、符号Ａ９で示すように、試聴指示情報１１２を第一のネットワーク３００を介して音楽素材提供販売センター２００に送信する。
これを受けて、音楽素材提供販売センター２００の処理部２３０は、符号Ａ１０で示すように、この試聴指示情報１１２に基づいて、記憶部２２０に登録されている音楽素材６００のデータベースを検索し、指定された音楽素材６００のサンプルデータ６３０を読み出して、符号Ａ１１で示すように、入出力部２１０を介して、サンプルデータ６３０を第一のネットワーク３００を介して利用者１００の端末機器１１０に送信する。
そして、利用者１００は、端末機器１１０にて、このサンプルデータ６３０を再生して、当該音楽素材６００の試聴を行なう。
【００５６】
ここで、利用者１００は、前述した検索結果情報６２０による検索結果およびサンプルデータ６３０による試聴を参考にして、所望の音楽素材６００があった場合には、ダウンロード指示情報１１３を入力し、符号Ａ１２で示すように、ダウンロード指示情報１１３を第一のネットワーク３００を介して音楽素材提供販売センター２００に送信する。
【００５７】
これを受けて、音楽素材提供販売センター２００の処理部２３０は、符号Ａ１３で示すように、このダウンロード指示情報１１３に基づいて、記憶部２２０に登録されている音楽素材６００のデータベースを検索し、指定された音楽素材６００の音楽素材データ６４０を読み出して、符号Ａ１４で示すように、入出力部２１０を介して、音楽素材データ６４０を第一のネットワーク３００を介して利用者１００の端末機器１１０に送信する。
【００５８】
これにより、利用者１００は、符号Ａ１５で示すように、端末機器１１０のシーケンサ部１２０にて、ダウンロードした音楽素材データ６４０を組み込んで、楽曲を作成する。
このとき、利用者１００が、当該音楽素材データ６４０を楽曲内で加工したり、楽曲内でコピーした場合にも、その都度、端末機器１１０のシーケンサ部１２０のカウント部１２１が、当該音楽素材６００の種類と利用回数６０１をカウントし、記憶部１２２に登録する。
【００５９】
そして、利用者１００が、当該楽曲の作成を中断または終了して、符号Ａ１６で示すように、作成中の楽曲の単なる保存を行なうと、端末機器１１０のシーケンサ部１２０は、符号Ａ１７で示すように、当該楽曲の作成に関して使用された音楽素材６００の種類および利用回数６０１を保存方法６０２（単なる保存）および識別ＩＤ１０２と共に、第一の利用情報６１１として、第一のネットワーク３００を介して音楽素材提供販売センター２００に送信する。
【００６０】
これを受けて、音楽素材提供販売センター２００の課金部２４０は、この利用情報６１１に基づいて、符号Ａ１８で示すように、「素材使用料金」としての課金情報２４１を作成すると共に、符号Ａ１９で示すように、識別ＩＤ１０２から利用者情報１０１を読み出して、符号Ａ２０で示すように、この課金情報２４１および利用者情報１０１を、入出力部２１０そして第二のネットワーク５００を介して、課金センター４００に送信する。
これにより、課金センター４００は、符号Ａ２１で示すように、利用者情報１０１により特定される利用者１００に対して、課金情報２４１に基づいて利用料金の決済を行なう。
【００６１】
さらに、利用者１００が、楽曲の作成を続けた後、楽曲が完成して、符号Ａ２２で示すように、完成した楽曲のＳＭＦ形式の保存またはマスタリングを行なうと、端末機器１１０のシーケンサ部１２０は、符号Ａ２３で示すように、当該楽曲の作成に関して使用された音楽素材６００の種類および利用回数６０１を保存方法６０２（ＳＭＦ形式の保存またはマスタリング）および識別ＩＤ１０２と共に、第二の利用情報６１２として、第一のネットワーク３００を介して音楽素材提供販売センター２００に送信する。
同時に、端末機器１１０のシーケンサ部１２０は、符号Ａ２４で示すように、音楽素材提供販売センター２００からダウンロードした音楽素材６００に関する検索結果情報６２０，サンプルデータ６３０および音楽素材データ６４０を削除する。
【００６２】
これを受けて、音楽素材提供販売センター２００の課金部２４０は、この利用情報６１２に基づいて、符号Ａ２５で示すように、「著作権使用料金」としての課金情報２４１を作成すると共に、符号Ａ２６で示すように、識別ＩＤ１０２から利用者情報１０１を読み出して、符号Ａ２７で示すように、この課金情報２４１および利用者情報１０１を、入出力部２１０そして第二のネットワーク５００を介して、課金センター４００に送信する。
これにより、課金センター４００は、符号Ａ２８で示すように、利用者情報１０１により特定される利用者１００に対して、課金情報２４１に基づいて利用料金の決済を行なう。
【００６３】
このようにして、本発明実施形態による音楽素材提供販売システム１０によれば、利用者１００が端末機器１１０のシーケンサ部１２０により楽曲を作成する際に、音楽素材提供販売センター２００からダウンロードした音楽素材６００の音楽素材データ６４０を、楽曲に組み込んだり、楽曲内で加工し、あるいはコピーする都度、シーケンサ部１２０が、当該音楽素材６００の種類毎に利用回数６０１をカウント部１２１によりもれなくカウントし、記憶部１２２に登録しておく。
【００６４】
そして、利用者１００が楽曲の作成を終了したときに、利用者１００の端末機器１１０のシーケンサ部１２０が、記憶部１２２に登録されている音楽素材６００毎の利用回数６０１を第一のネットワーク３００を介して音楽素材提供販売センター２００に送信する。
これにより、音楽素材提供販売センター２００は、利用者１００がダウンロードした音楽素材６００に関して、作成する楽曲に組み込んだときだけでなく、楽曲内で加工したりコピーしたときも、その都度シーケンサ部１２０のカウント部１２１が利用回数６０１をカウントするので、当該利用者１００の音楽素材６００に関する正確な利用回数６０１を取得することができ、正しい課金を行なうことが可能である。
【００６５】
図３は、本発明の音楽素材提供販売システムの第二の実施形態の構成を示すブロック図である。
図３において、音楽素材提供販売システム２０は、図１に示した音楽素材提供販売システム１０とほぼ同様の構成であるが、第一のネットワーク３００に対して接続された複数個の音楽素材提供販売センター２００を備えていると共に、さらに第一のネットワーク３００に対して接続されたＵＤＤＩレジストリ部８００を備えている点で、図１に示した音楽素材提供販売システム１０とは異なる構成になっている。
【００６６】
上記ＵＤＤＩレジストリ部８００は、各音楽素材提供販売センター２００が提供しているＷｅｂサービスのリスト８１０、例えば個々の音楽素材６００の登録場所を示すＵＲＬのリストと、各音楽素材提供販売センター２００に接続するための接続情報８２０が登録されている。
【００６７】
このような構成の音楽素材提供販売システム２０によれば、利用者１００は、音楽素材６００の検索を行なう場合、端末機器１１０により第一のネットワーク３００を介してＵＤＤＩレジストリ部８００にアクセスして、検索指示情報１１１を送信することによって、ＵＤＤＩレジストリ部８００に登録されている音楽素材提供販売センター２００が提供するＷｅｂサービスを検索し、検索結果情報６２０を得る。
そして、利用者１００は、この検索結果のＷｅｂサービスのリスト８１０と個々のＷｅｂサービスに対する接続情報８２０を利用することによって、端末機器１１０により第一のネットワーク３００を介して音楽素材提供販売センター２００のＷｅｂサービスに接続し、検索指示情報１１４を送信することによって、所望の音楽素材６００を検索して、その検索結果情報６５０を取得することができる。
【００６８】
この場合、検索結果情報６２０は、図１に示した音楽素材提供販売システム１０における検索結果情報６２０とは異なり、検索されたＷｅｂサービスのリスト８１０と、検索されたＷｅｂサービスを提供する音楽素材提供販売センター２００への接続情報８２０を含んでいる。
そして、利用者１００は、この検索結果情報６２０に基づいて、音楽素材提供販売センター２００にアクセスして、検索指示情報１１４を送信することにより、図１に示した実施形態の場合と同様に、当該音楽素材提供販売センター２００から、検索結果情報６５０と、所望の音楽素材６００に関するサンプルデータ６３０および音楽素材データ６４０をダウンロードすることができる。
【００６９】
したがって、例えば利用者１００が使用している端末機器１１０が、第一のネットワーク３００を介して、特定の音楽素材提供販売センター２００のみに接続するように構成されていても、Ｗｅｂサービス技術を利用することができれば、ＵＤＤＩレジストリ部８００で音楽素材提供販売センター２００が提供するＷｅｂサービスを検索して、検索結果情報６２０に含まれる接続情報８２０により、音楽素材提供販売センター２００が提供するＷｅｂサービスに接続し、検索指示情報１１４を送信して、音楽素材６００の検索を行なって、検索結果情報６５０から検索された音楽素材６００を取得することにより、他の音楽素材提供販売センター２００が提供する音楽素材６００を試聴またはダウンロードすることが可能である。
これにより、利用者１００は、この端末機器１１０を買い換えることなく、端末機器１１０により指定された音楽素材提供販売センター２００だけでなく、他の音楽素材提供販売センター２００に登録されている音楽素材６００に関しても、音楽素材６００の検索，試聴およびダウンロードを行なうことが可能になる。
【００７０】
上述した実施形態においては、利用者１００の端末機器１１０と音楽素材提供販売センター２００とを相互接続するための第一のネットワーク３００と、音楽素材提供販売センター２００と課金センター４００とを相互接続するための第二のネットワーク５００を備えているが、これに限らず、課金情報２４１に関するセキュリティが確保され得る限りにおいては、第二のネットワーク５００の代わりに、共通の第一のネットワーク３００を使用するようにしてもよい。
【００７１】
また、上述した実施形態においては、利用者１００が端末機器１１０のシーケンサ部１２０により楽曲を作成して、完成した楽曲をＳＭＦ形式で保存するようにしているが、これに限らず、完成した楽曲を他の保存形式で保存するようにしてもよい。
【００７２】
さらに、上述した実施形態においては、音楽素材６００自体のデータすなわち音楽素材データ６４０として、ＭＩＤＩデータが使用されているが、これに限らず、他の形式のデータとしての音楽素材データ６４０が使用されてもよいことは明らかである。
【００７３】
【発明の効果】
以上のように、本発明によれば、利用者の端末機器におけるシーケンサ部が、音楽素材提供販売センターからダウンロードした音楽素材について、楽曲作成の際に、例えば楽曲内での加工，コピー等を含む利用の都度、利用回数をカウントすることにより、利用者の音楽素材の利用を厳密にカウントして、利用回数を音楽素材提供販売センターに送信する。
これにより、音楽素材提供販売センターは、個々の利用者による音楽素材の利用を洩れなく正確にチェックして、課金に反映させることが可能となり、提供する音楽素材の利用に関して、課金センターを介して正確に利用料金を回収することができる。
【図面の簡単な説明】
【図１】本発明の第一の実施形態の音楽素材提供販売システムの構成を示すブロック図である。
【図２】図１の音楽素材提供販売システムにおける楽曲作成作業を示すフローチャートである。
【図３】本発明の第二の実施形態の音楽素材提供販売システムの構成を示すブロック図である。
【符号の説明】
１０，２０  音楽素材提供販売システム
１００  利用者
１０１  利用者情報
１０２  識別ＩＤ
１１０  端末機器
１１１  検索指示情報
１１２  試聴指示情報
１１３  ダウンロード指示情報
１１４  検索指示情報
１２０  シーケンサ部
１２１  カウント部
１２２  記憶部
２００  音楽素材提供販売センター
２１０  入出力部
２２０  記憶部
２３０  処理部
２４０  課金部
２４１  課金情報
３００  第一のネットワーク
４００  課金センター
５００  第二のネットワーク
６００  音楽素材
６０１  利用回数
６０２  保存形式
６１０  利用情報
６１１  第一の利用情報
６１２  第二の利用情報
６２０  検索結果情報
６３０  サンプルデータ
６４０  音楽素材データ
６５０  検索結果情報
【図１】
2005004332.tif 000003
【図２】
2005004332.tif 000004
【図３】
2005004332.tif 000005